(57)【要約】  【課題】真空吸引ホースでホコリを吸引する場合、従来は先端のブラシでホコリが付着している対象物を擦るため、静電気を起こして逆にホコリを付着させるという問題があった。【解決手段】本発明の真空吸引ホースは、真空吸引ホース本体と、該真空吸引ホース本体の先端に取付けられた、剛毛を有するブラシと、該ブラシの剛毛に隣接して配置した少なくとも１つのイオン発生装置を有する。【選択図】  図１
2010104629.tif 000002
【特許請求の範囲】
【請求項１】
真空吸引ホース本体と、該真空吸引ホース本体の先端に取付けられた、剛毛を有するブラシと、該ブラシの剛毛に隣接して配置した少なくとも１つのイオン発生装置を有することを特徴とする真空吸引ホース。
【請求項２】
請求項１記載の真空吸引ホースにおいて、イオン発生装置がブラシの先端の外側または内側にあることを特徴とする真空吸引ホース。
【請求項３】
請求項１または２記載の真空吸引ホースにおいて、イオン発生装置に印加する電圧が直流かパルスであることを特徴とする真空吸引ホース。
【請求項４】
請求項１〜２のいずれか１つに記載の真空吸引ホースにおいて、イオン発生装置に印加する電圧が直流の場合、＋イオン発生装置と−イオン発生装置が１組になり、少なくとも１組のイオン発生装置を有することを特徴とする真空吸引ホース。
【請求項５】
請求項４記載の真空吸引ホースにおいて、隣り合うイオン発生装置の極性は逆極性であることを特徴とする真空吸引ホース。
【請求項６】
請求項４または５記載の真空吸引ホースにおいて、２組以上のイオン発生装置を有する場合、各イオン発生装置間の距離がほぼ等しいことを特徴とする真空吸引ホース。
【請求項７】
請求項４〜６のいずれか１つに記載の真空吸引ホースにおいて、２組以上のイオン発生装置を有する場合、１つの＋イオン発生装置と１つの−イオン発生装置が支持体で連結され、該支持体の中間点でのみ前記ブラシに接触して、支持されることを特徴とする真空吸引ホース。
【請求項８】
請求項１〜７のいずれか１つに記載の真空吸引ホースにおいて、剛毛はブラシの先端、かつブラシの外側に配置されていることを特徴とする真空吸引ホース。
【請求項９】
請求項８記載の真空吸引ホースにおいて、剛毛はテープ状に保持され、ブラシの先端の外側に巻き付けられることを特徴とする真空吸引ホース。
【請求項１０】
請求項８記載の真空吸引ホースにおいて、剛毛はグループで半円形状または半楕円形状に保持され、前記ブラシの先端の外側に組み付けられることを特徴とする真空吸引ホース。
【請求項１１】
請求項８〜１０のいずれか１つに記載の真空吸引ホースにおいて、剛毛はマジックテープで、ブラシの先端の外側に着脱可能に取りつけられることを特徴とする真空吸引ホース。
【請求項１２】
請求項８記載の真空吸引ホースにおいて、ブラシに植毛された剛毛は根元が密で先端が疎に構成されていることを特徴とする真空吸引ホース。
【発明の詳細な説明】
【技術分野】
【０００１】
本発明は、先端にブラシとイオン発生装置を有する真空吸引ホースに関する。
【背景技術】
【０００２】
従来は先端にブラシを有する真空吸引ホースを用い、ホコリが付着した対象物をブラシで擦りながら、ホコリを真空で吸引、除去していた。
【発明の開示】
【発明が解決しようとする課題】
【０００３】
しかし、従来例では先端のブラシでホコリが付着した対象物を擦るため、静電気を起こして逆にホコリを付着させるという問題があった。
【０００４】
したがって、本発明の目的は、真空吸引ホース先端にイオン発生装置を装備し、ブラシでホコリを擦り取る時にも静電気が起きないようにし、かつ除塵作業が終了後も静電気が除去されているので、周囲から浮遊するホコリを吸引することもなく、除電、除塵作業を効率よく行える真空吸引ホースを提供することにある。
【課題を解決するための手段】
【０００５】
本発明の真空吸引ホースは、真空吸引ホース本体と、該真空吸引ホース本体の先端に取付けられた、剛毛を有するブラシと、該ブラシの剛毛に隣接した配置した少なくとも１つのイオン発生装置を有することを特徴とする。なお、イオン発生装置がブラシの先端近傍にあり、かつホースの外側または内側にあるのが好ましく、またイオン発生装置に印加する電圧が直流かパルスであるのが好ましく、またブラシの剛毛はブラシ先端、かつブラシの外側に配置されているのが好ましく、また剛毛はテープ状に保持され、ブラシの先端の外側に巻き付けるのが好ましく、また剛毛はグループで半円形状または半楕円形状に保持され、ブラシの先端の外側に組み付けるのが好ましく、また剛毛はマジックテープによって、ブラシの先端の外側に着脱可能に取りつけられるのが好ましく、またブラシに植毛された剛毛は根元が密で先端が疎に構成されているのが好ましい。
【発明の効果】
【０００６】
本発明によれば、真空吸引ホース先端にイオン発生装置を装備しているので、ブラシでホコリを擦り取る時にも静電気が起きないようにし、かつ除塵作業が終了後も静電気が除去されているので周囲から浮遊するホコリを吸引することもなく、除電、除塵作業を効率よく行うことに寄与できる。
【発明を実施するための最良の形態】
【０００７】
本発明の真空吸引ホースは、真空吸引ホース本体と、該真空吸引ホース本体の先端に取付けられた、剛毛を有するブラシと、該ブラシの剛毛に隣接して配置した少なくとも１つのイオン発生装置を有する。
【実施例】
【０００８】
（実施例１）
次に、本発明の実施例１を図１を参照して説明する。図１は本発明を説明するための図であり、図１ａが正面図であり、図１ｂが底面図である。
【０００９】
この実施例１では、真空吸引ホース１０は、真空吸引ホース本体１２と、この真空吸引ホース本体１２の先に保持された、例えば、円形、楕円形等のリング状に配列された剛毛１６を先端に持つブラシ１４と、イオン発生器本体（イオナイザ）１８によって塵を除電するためのイオンが発生される４つのイオン発生装置２０を有し、イオン発生装置２０はブラシ１４の先端のリング状配列の剛毛（以下、リング状配列の剛毛を単に剛毛という）１６の近傍にあり、かつ剛毛１６の内側にある。ブラシ１４は剛毛１６に隣接して真空吸引ホース本体１２に連通する吸引口（この図では図示せず）を有する。
【００１０】
また、イオン発生装置に印加する電圧は直流かパルスであることが好ましい。またイオン発生装置に印加する電圧が直流の場合、＋イオン発生装置と−イオン発生装置が１組になり、２組のイオン発生装置を有している。またイオン発生装置に高電圧を供給するイオナイザは真空吸引ホース本体を軽くして作業性を良くする為に、真空吸引ホース本体と別体に構成されるのが良いが、イオナイザの構成を簡単にするために一体に構成してもよい。なお、隣り合うイオン発生装置の極性は逆極性に構成されている。
【００１１】
次に、本発明の実施例２を図２を参照して説明する。図２は本発明を説明するための図であり、図２ａが正面図であり、図２ｂが底面図である。
【００１２】
この実施例２では、真空吸引ホース１０は、真空吸引ホース本体１２と、この真空吸引ホース本体１２の先に保持された、例えば、円形、楕円形等のリング状に配列された剛毛１６を先端に持つブラシ１４と、イオン発生器本体（イオナイザ）１８によって塵を除電するためのイオンが発生される４つのイオン発生装置２０を有し、イオン発生装置２０はブラシ１４の先端のリング配列の剛毛１６の近傍にあり、かつ剛毛１６の外側にある。ブラシ１４は剛毛１６に隣接して真空吸引ホース本体１２に連通する吸引口（この図では図示せず）を有する。
【００１３】
また、イオン発生装置に印加する電圧は直流かパルスであることが好ましい。またイオン発生装置に印加する電圧が直流の場合、＋イオン発生装置と−イオン発生装置が１組になり、２組のイオン発生装置を有している。またイオン発生装置に高電圧を供給するイオナイザは真空吸引ホースを軽くして作業性を良くする為に、真空吸引ホースと別体に構成されるのが良いが、イオナイザの構成を簡単にするために一体に構成してもよい。なお、隣り合うイオン発生装置の極性は逆極性に構成されている。
【００１４】
図３はイオン発生装置に印加する電圧が直流の場合におけるイオン発生装置間の距離の関係を記述するための図であり、イオン発生装置が２組の場合を示し、図３ａは図上横方向の距離Ａが縦方向の距離Ｂより小さい場合を示す。図３ｂは距離Ａと距離Ｂがほぼ等しい場合を示す。
【００１５】
隣り合うイオン発生装置２０の極性は逆であることが好ましい。この場合、発生するイオンは隣同士で引き合い、近いほど強く引き合う。したがって、図３ａに示すように、距離Ａが小さければイオンはＡ間での引き合いが強く、Ｂ間での引き合いは負けてしまいＢ間にはイオンは存在しないか僅かしか存在しない。そのためＡ間を吹き抜ける風Ｘ、Ｘ‘はイオンを含み除電作用をするが、Ｂ間を吹き抜ける風Ｙ、Ｙ’はイオンを含まないので除電作用を果たさない。このように方向によって除電作用が異なる。これに対し、図３ｂに示すようにＡとＢがほぼ等しければＸ，Ｘ’もＹ，Ｙ’もほぼ等しくイオンを含み、除電作用も等しいから、方向によって除電作用が異なることはない。
【００１６】
図４にイオン発生装置の支持方法を示す。２組以上のイオン発生装置を有する場合、１つの＋イオン発生装置と１つの−イオン発生装置が支持体２２で連結され、支持体２２の中間点でのみブラシ１４に接触して、支持する。イオン発生装置の＋の高電圧と−の高電圧の絶対値がほぼ等しければ、支持体２２の中間点は静電位がほぼ０Ｖになり、この点でブラシ１４と接触することによりブラシ１６と支持体２２の間で電流が流れにくくなる。すなわち漏電が起きなくなる。特にブラシ１６が金属などの導体で形成されている場合は、効果的である。
【００１７】
図５に支持方法を用いた実施例を示す。図５ａに長丸形状のブラシの場合の正面図を、図５ｂに底面図を示す。図５ｃに丸型ブラシの例として、底面図を示す。それぞれイオン発生装置２０はブラシ１４とは直接接触することなく、支持体２２によって中間点の静電位がほぼ０Ｖのところでブラシ１４と接触している。そのため漏電が起きにくい。特にブラシ１４が導体の場合に威力を発揮する。
【００１８】
図６にブラシの着脱構造を示す。図６ａは固体ブラシを取り付ける方式を示し、図６ｂは図６ａのＣＣ断面を、図６ｃは柔構造ブラシを巻きつける方式を示す。図６ｄは図６ｃの点線の円で示す部分の拡大図で、図６ｅは図６ｃのＤＤ断面図である。
【００１９】
図６ａは剛毛１６のグループ１６ａ、１６ｂが半円形または半楕円形でブラシ１４を挟むように取り付ける。図６ｂに示すように剛毛１６は剛毛ホルダー３４に植えつけられており、吸引口２８ａを持ち、ホース本体１２と連通する吸引筒２８とはマジックテープ２４、２６で取り付けられ、自由に着脱できる。たとえば剛毛１６がへたり交換するときは容易に行える。
【００２０】
図６ｃに柔構造の剛毛ホルダーを巻きつける方式を示す。図６ｄに示すように剛毛１６はテープ状の剛毛保持布（ホルダー）３６、３８に植付けられ柔構造になっているのでどんな形状の吸引筒２８にも取り付けられる。吸引筒２８とはマジックテープ２４、２６で取り付けられ、自由に着脱できる。たとえば剛毛１６がへたり交換するときは容易に行える。
【図面の簡単な説明】
【００２１】
【図１】本発明の実施例１を説明するための図であり、図１ａが正面図であり、図１ｂが底面図である。
【図２】本発明の実施例２を説明するための図であり、図２ａが正面図であり、図２ｂが底面図である。
【図３】イオン発生装置間の距離を説明するための図であり、図３ａはＡ＜Ｂの場合を示し、図３ｂはＡ≒Ｂの場合を示す。
【図４】イオン発生装置の支持方法を示す。
【図５】支持体の実施例を示し、図５ａは正面図で、図５ｂは底面図で、図５ｃは丸型ホースの例を示す。
【図６】ブラシの着脱構造を示し、図６ａは固体ブラシを組み付ける方式を示し、図６ｂはＣＣ断面図で、図６ｃは柔構造ブラシを巻きつける方式を示し、図６ｄは図６ｃの点線の円で示す部分の拡大図で、図６ｅはＤＤ断面図である。
【符号の説明】
【００２２】
１０  真空吸引ホース
１２  真空吸引ホース本体
１４  ブラシ
１６  剛毛
１８  イオナイザ
２０  イオン発生装置
２２  支持体
２４  マジックテープ
２６  マジックテープ
２８  吸引筒
２８ａ  吸引口
３０  接着剤
３４  剛毛ホルダー
３６  剛毛保持布
３８  剛毛保持布
【図１】
2010104629.tif 000003
【図２】
2010104629.tif 000004
【図３】
2010104629.tif 000005
【図４】
2010104629.tif 000006
【図５】
2010104629.tif 000007
【図６】
2010104629.tif 000008
【手続補正書】
【提出日】平成20年11月10日(2008.11.10)
【手続補正１】
【補正対象書類名】明細書
【補正対象項目名】００１６
【補正方法】変更
【補正の内容】
【００１６】
図４にイオン発生装置の支持方法を示す。２組以上のイオン発生装置を有する場合、１つの＋イオン発生装置と１つの−イオン発生装置が支持体２２で連結され、支持体２２の中間点でのみブラシ１４に接触して、支持する。イオン発生装置の＋の高電圧と−の高電圧の絶対値がほぼ等しければ、支持体２２の中間点は静電位がほぼ０Ｖになり、この点でブラシ１４と接触することによりブラシ１４と支持体２２の間で電流が流れにくくなる。すなわち漏電が起きなくなる。特にブラシ１４が金属などの導体で形成されている場合は、効果的である。
【手続補正２】
【補正対象書類名】図面
【補正対象項目名】図２
【補正方法】変更
【補正の内容】
【図２】
2010104629.tif 000009